(57)【要約】【課題】  フォーカス投影光学系に黒点板を設ける必要がなく眼底に対するフォーカス調整を好適に行う。【解決手段】  眼底を照明する照明光学系と、合焦レンズを有する眼底撮影光学系であって、視度補正レンズが挿脱可能に配置された眼底撮影光学系と、眼底にフォーカス用の指標を投影する指標投影光学系と、該指標投影光学系による反射光を受光する受光素子を有する受光光学系と、を有するフォーカス検出光学系と、を備える眼底カメラにおいて、前記検出光学系の一部を移動可能な移動機構と、合焦レンズの移動に連動して駆動部の駆動を制御する制御手段であって、視度補正レンズが挿入された場合、視度補正レンズと合焦レンズの移動位置とによる視度補正量に対応する移動位置に、検出光学系の一部を移動機構を用いて移動させる制御手段と、を備える。【選択図】      図１
2010193987.tif 000002
【特許請求の範囲】
【請求項１】
照明光源を有し、該照明光源から出射された照明光を対物レンズを介して被検者眼眼底を照明する照明光学系と、
光軸方向に移動可能に配置されたフォーカシングレンズを有し、前記照明光学系による眼底反射光を前記対物レンズ及び前記フォーカシングレンズを介して受光することにより被検者眼の眼底を撮影する眼底撮影光学系であって、強度の屈折異常眼の視度を補正するための視度補正レンズが光路に対して挿脱可能に配置された眼底撮影光学系と、
投影光源を有し被検者眼眼底にフォーカス用の指標を投影する指標投影光学系と、該指標投影光学系による眼底反射光を受光する受光素子を有する受光光学系と、を有するフォーカス検出光学系と、
を備える眼底カメラにおいて、
駆動部を有し、前記投影光源又は前記受光素子の少なくとも何れかを含むフォーカス検出光学系の一部を光軸方向に移動可能な移動機構であって、前記視度補正レンズが挿入された状態での前記フォーカシングレンズの移動による視度補正範囲を含む移動可能範囲を持つ移動機構と、
前記フォーカシングレンズの移動に連動して前記駆動部の駆動を制御する制御手段であって、前記視度補正レンズが挿入された場合、挿入された視度補正レンズと前記フォーカシングレンズの移動位置とによる視度補正量に対応する移動位置に、前記フォーカス検出光学系の一部を前記移動機構を用いて移動させる制御手段と、を備えることを特徴とする眼底カメラ。
【請求項２】
請求項１の眼底カメラにおいて、
前記照明光学系の光路に配置され、前記照明光学系の光路と前記指標投影光学系の光路とを結合させる光結合部材を備え、
前記移動機構は、前記投影光源を含む前記投影光学系の一部を前記光結合部材に対して移動させることを特徴とする眼底カメラ。
【請求項３】
請求項２の眼底カメラにおいて、
前記指標投影光束による前記対物レンズでの反射光が前記受光素子に向かうのを制限するために、前記指標投影光学系及び前記受光光学系には、
それぞれ偏光方向が直交関係にある直線偏光板、
又は、偏光方向が直交関係にある光の一方を透過もしくは反射により被検者眼に向かわせ他方を反射もしくは透過して前記受光素子に受光させる偏光ビームスプリッタ、が配置されていることを特徴とする眼底カメラ。
【請求項４】
請求項３の眼底カメラにおいて、
前記制御手段は、前記視度補正レンズの挿脱状態に応じて，前記投影光源を含む前記指標投影光学系の一部の移動位置を補正することを特徴とする眼底カメラ。
【請求項５】
請求項４の眼底カメラにおいて、
前記フォーカシングレンズを移動させるための第２駆動部を備え、
前記制御手段は、前記視度補正レンズが挿入される場合、前記第２駆動部の駆動を制御し、レンズ挿入状態におけるレンズ挿入前の視度補正量に対応する移動位置にフォーカシングレンズを移動させることを特徴とする眼底カメラ。
【請求項６】
照明光源を有し、該照明光源から出射された照明光を対物レンズを介して被検者眼眼底を照明する照明光学系と、
投影光源を有し被検者眼眼底にフォーカス用の指標を投影する指標投影光学系と、該指標投影光学系による眼底反射光を受光する受光素子を有する受光光学系と、を有するフォーカス検出光学系と、
を備える眼底カメラにおいて、
前記指標投影光学系は前記指標光束を所定の偏光方向とするための第１の偏光部材を持ち、
前記受光光学系は前記第１偏光部材で得られる前記所定の偏光方向を持つ指標光束を前記受光素子に対して制限する偏光部材を持つ
ことを特徴とする眼底カメラ。
【請求項７】
請求項６の眼底カメラにおいて、前記第１偏光部材は、前記照明光学系の光路と指標投影光学系の光路とを結合させるための光結合部材であって，該光結合部材は前記投影光源からの前記指標光束をＳ偏光とさせる光結合部材であることを特徴とする眼底カメラ。
【請求項８】
フォーカシングレンズを光軸方向に移動させる駆動機構を有し、被検者眼の眼底を撮像素子により撮影する眼底撮影光学系と、
被検者眼の眼底にフォーカス用光束を投光する投光光学系と、フォーカス用光束の眼底反射光束をリング指標像として二次元受光素子に受光する受光光学系と、を有するフォーカス検出光学系と、
前記二次元受光素子に受光されたリング指標像に基づいて前記駆動機構の駆動を制御して前記フォーカシングレンズを移動させると共に、前記リング指標像に基づく前記駆動機構の駆動制御により前記フォーカシングレンズがフォーカス終了位置に配置されたときに前記二次元受光素子によって取得されたリング指標像情報を被検者眼観察画像に合成して表示モニタ上に表示する制御手段と、を備えることを特徴とする眼底カメラ。
【請求項９】
請求項８の眼底カメラにおいて、前記フォーカス終了位置から前記フォーカシングレンズが移動されて前記二次元受光素子によって取得されるリング指標像が変化しても、前記フォーカシングレンズがフォーカス終了位置に配置されたときに前記二次元受光素子によって取得されたリング像情報を表示モニタに固定表示することを特徴とする眼底カメラ。
【請求項１０】
請求項９の制御手段は、さらに、前記撮像素子により撮影されたカラー眼底画像と前記リング指標像情報を表示モニタ上に同時に表示することを特徴とする眼底カメラ。
【請求項１１】
請求項１０の眼底カメラにおいて、被検者眼の視線を誘導する固視標の呈示位置を変更可能な固視標呈示手段を備え、前記制御手段は、前記固視標呈示手段によって固視標の呈示位置の変更に応じて、再度、前記二次元受光素子に受光されたリング指標像に基づいて前記駆動機構の駆動を制御して前記フォーカシングレンズを移動させると共に、前記リング指標像に基づく前記駆動機構の駆動制御により前記フォーカシングレンズがフォーカス終了位置に配置されたときに前記二次元受光素子によって取得されたリング指標像情報を表示モニタ上に表示することを特徴とする眼底カメラ。
【請求項１２】
請求項１１の眼底カメラにおいて、前記制御手段は、前記リング指標像に基づく前記駆動機構の駆動制御により被検者眼の等価球面度数に対応する位置に前記フォーカシングレンズが移動されたときに前記二次元受光素子によって取得されたリング指標像を表示モニタに表示することを特徴とする眼底カメラ。
【請求項１３】
請求項１１の眼底カメラにおいて、前記制御手段は、前記リング指標像に基づく前記駆動機構の駆動制御により被検者眼の等価球面度数に対応する位置に前記フォーカシングレンズが移動されたときに前記二次元受光素子によって取得されたリング指標像に基づいてリング指標像の像位置情報を検出し、検出された像位置情報に応じた電子的なグラフィックを表示させることを特徴とする眼底カメラ。
【請求項１４】
請求項１３の眼底カメラにおいて、前記制御手段は、前記二次元受光素子によって取得されるリング指標像に基づく電子的なグラフィックを表示する場合、取得されるリング指標像を模した電子的なグラフィックを表示させることを特徴とする眼底カメラ。
【請求項１５】
請求項１１の眼底カメラにおいて、前記制御手段は、前記リング指標像に基づく前記駆動機構の駆動制御により被検者眼の等価球面度数に対応する位置に前記フォーカシングレンズが移動されたときに前記二次元受光素子によって取得されるリング指標像に基づいて被検者眼の乱視状態を判定し、判定結果を表示モニタ上に表示することを特徴とする眼底カメラ。
【請求項１６】
請求項１１の眼底カメラにおいて、前記制御手段は、前記二次元受光素子から出力されるリング指標像に基づいて被検者眼眼底に対するフォーカス状態を検出する，もしくは、フォーカス終了位置を基準に被検者眼眼底に対するフォーカス状態を検出することにより被検者眼眼底に対するフォーカスのずれ量とずれ方向を表示モニタ上に電子的に表示することを特徴とする眼底カメラ。
【請求項１７】
請求項１８の眼底カメラにおいて、前記制御手段は、前記二次元受光素子によって取得されるリング指標像に基づいて被検者眼の乱視の強主経線方向の屈折度数に対応するフォーカス位置を第１のフォーカス限界位置として設定し、前記二次元受光素子によって取得されるリング指標像に基づいて被検者眼の乱視の弱主経線方向の屈折度数に対応するフォーカス位置を第２のフォーカス限界位置として設定する設定手段を有し、前記設定手段によって設定された第１のフォーカス限界位置と第２のフォーカス限界位置に対応するリミット表示を表示モニタ上に行うことを特徴とする眼底カメラ。
【請求項１８】
請求項１７の眼底カメラにおいて、前記制御手段は、前記設定手段によって設定された第１のフォーカス限界位置と第２のフォーカス限界位置との間で前記フォーカスレンズを移動させるように前記駆動機構によるフォーカシングレンズの移動可能範囲を制限する制限手段を備えることを特徴とする眼底カメラ。
【請求項１９】
請求項１８の眼底カメラにおいて、別筐体の眼屈折力測定装置により測定された被検者眼の乱視度数を含む測定データを取得する眼屈折力測定データ取得手段を備え、前記制御手段は、取得された測定データを用いて前記フォーカシングレンズを駆動させることにより前記フォーカシングレンズを被検者眼の等価球面度数に対応する位置に移動させると共に、前記測定データを用いてフォーカス調整を行った旨、もしくは既にフォーカス調整が一応完了している旨を参考表示として表示モニタ上に表示することを特徴とする眼底カメラ。
【発明の詳細な説明】
【技術分野】
【０００１】
本発明は、被検者眼の眼底を撮影する眼底カメラに関する。
【背景技術】
【０００２】
被検者眼の眼底を撮影する眼底カメラにおいては、眼底とのフォーカス合わせができるように、光軸方向に移動可能なフォーカシングレンズが撮影光学系の撮影光路中に配置されている。また、被検者眼の眼底を照明するための照明光学系の光路中に挿脱されるフォーカスバーに形成されたスポットミラーを介して被検者眼眼底にスプリット指標を投影し、その反射光を眼底観察光学系の撮像素子により受光する光学系が設けられており、検者は、眼底観察用撮像素子による撮像画像をモニタに表示させたときのスプリット指標（フォーカス指標）の分離状態からフォーカスのずれを把握する。
【先行技術文献】
【特許文献】
【０００３】
【特許文献１】特開２００７−２０２７２４号公報
【発明の概要】
【発明が解決しようとする課題】
【０００４】
まず、第１の課題として、上述したようなフォーカス指標を投影する場合には、指標投影光束に基づく対物レンズの反射を取り除くために、フォーカス指標を投影するための光学系に黒点板を設けるが、このような黒点板の設置によって光学設計の自由度が制限されてしまう。例えば、フォーカス指標を投影する光学系にレンズ反射防止用の黒点板を備えた従来の構成の場合、黒点板の存在により、フォーカスバーの移動範囲が制限されてしまう。このため、視度補正レンズが挿入された状況下では、フォーカス指標を好適に投影することができず、フォーカスバーを光路から退避させ、フォーカス指標がない状態で目視にてフォーカス調整を行っていた。
【０００５】
また、第２の課題として、近年では、高画素の二次元撮像素子により被検者眼眼底を撮像し、取得した眼底画像をパソコンのディスプレイ等の大きな画面に表示して観察することが多い。このような場合、例えば、強度の乱視眼を撮影した場合、フォーカスが合っているとされた状態で撮影を行っているにもかかわらず、眼底画像のぼけが目立ってしまい、観察しづらくなる場合がある。
【０００６】
しかしながら、撮影者にとっては、このような画像のぼけが何に起因するものかを判断することが難しく、対応が取り難い。
【０００７】
本発明は、上記第１の問題点を鑑み、フォーカス指標を投影するための光学系に黒点板を設ける必要がなく被検者眼眼底に対するフォーカス調整を好適に行うことができる眼底カメラを提供することを技術課題とする。また、本発明は、上記第２の問題点を鑑み、撮影時において被検者眼の状態を容易に知ることができる眼底カメラを提供することを技術課題とする。
【課題を解決するための手段】
【０００８】
上記課題を解決するために、本発明は以下のような構成を備えることを特徴とする。
【０００９】
（１）
照明光源を有し、該照明光源から出射された照明光を対物レンズを介して被検者眼眼底を照明する照明光学系と、
光軸方向に移動可能に配置されたフォーカシングレンズを有し、前記照明光学系による眼底反射光を前記対物レンズ及び前記フォーカシングレンズを介して受光することにより被検者眼の眼底を撮影する眼底撮影光学系であって、強度の屈折異常眼の視度を補正するための視度補正レンズが光路に対して挿脱可能に配置された眼底撮影光学系と、
投影光源を有し被検者眼眼底にフォーカス用の指標を投影する指標投影光学系と、該指標投影光学系による眼底反射光を受光する受光素子を有する受光光学系と、を有するフォーカス検出光学系と、
を備える眼底カメラにおいて、
駆動部を有し、前記投影光源又は前記受光素子の少なくとも何れかを含むフォーカス検出光学系の一部を光軸方向に移動可能な移動機構であって、前記視度補正レンズが挿入された状態での前記フォーカシングレンズの移動による視度補正範囲を含む移動可能範囲を持つ移動機構と、
前記フォーカシングレンズの移動に連動して前記駆動部の駆動を制御する制御手段であって、前記視度補正レンズが挿入された場合、挿入された視度補正レンズと前記フォーカシングレンズの移動位置とによる視度補正量に対応する移動位置に、前記フォーカス検出光学系の一部を前記移動機構を用いて移動させる制御手段と、を備えることを特徴とする。
（２）  （１）の眼底カメラにおいて、
前記照明光学系の光路に配置され、前記照明光学系の光路と前記指標投影光学系の光路とを結合させる光結合部材を備え、
前記移動機構は、前記投影光源を含む前記投影光学系の一部を前記光結合部材に対して移動させることを特徴とする。
（３）  （２）の眼底カメラにおいて、
前記指標投影光束による前記対物レンズでの反射光が前記受光素子に向かうのを制限するために、前記指標投影光学系及び前記受光光学系には、
それぞれ偏光方向が直交関係にある直線偏光板、
又は、偏光方向が直交関係にある光の一方を透過もしくは反射により被検者眼に向かわせ他方を反射もしくは透過して前記受光素子に受光させる偏光ビームスプリッタ、が配置されていることを特徴とする。
（４）  （３）の眼底カメラにおいて、
前記制御手段は、前記視度補正レンズの挿脱状態に応じて，前記投影光源を含む前記指標投影光学系の一部の移動位置を補正することを特徴とする。
（５）  （４）の眼底カメラにおいて、
前記フォーカシングレンズを移動させるための第２駆動部を備え、
前記制御手段は、前記視度補正レンズが挿入される場合、前記第２駆動部の駆動を制御し、レンズ挿入状態におけるレンズ挿入前の視度補正量に対応する移動位置にフォーカシングレンズを移動させることを特徴とする。
（６）  照明光源を有し、該照明光源から出射された照明光を対物レンズを介して被検者眼眼底を照明する照明光学系と、
投影光源を有し被検者眼眼底にフォーカス用の指標を投影する指標投影光学系と、該指標投影光学系による眼底反射光を受光する受光素子を有する受光光学系と、を有するフォーカス検出光学系と、
を備える眼底カメラにおいて、
前記指標投影光学系は前記指標光束を所定の偏光方向とするための第１の偏光部材を持ち、
前記受光光学系は前記第１偏光部材で得られる前記所定の偏光方向を持つ指標光束を前記受光素子に対して制限する偏光部材を持つ
ことを特徴とする。
（７）  （６）の眼底カメラにおいて、前記第１偏光部材は、前記照明光学系の光路と指標投影光学系の光路とを結合させるための光結合部材であって，該光結合部材は前記投影光源からの前記指標光束をＳ偏光とさせる光結合部材であることを特徴とする。
（８）  フォーカシングレンズを光軸方向に移動させる駆動機構を有し、被検者眼の眼底を撮像素子により撮影する眼底撮影光学系と、
被検者眼の眼底にフォーカス用光束を投光する投光光学系と、フォーカス用光束の眼底反射光束をリング指標像として二次元受光素子に受光する受光光学系と、を有するフォーカス検出光学系と、
前記二次元受光素子に受光されたリング指標像に基づいて前記駆動機構の駆動を制御して前記フォーカシングレンズを移動させると共に、前記リング指標像に基づく前記駆動機構の駆動制御により前記フォーカシングレンズがフォーカス終了位置に配置されたときに前記二次元受光素子によって取得されたリング指標像情報を被検者眼観察画像に合成して表示モニタ上に表示する制御手段と、を備えることを特徴とする。
（９）  （８）の眼底カメラにおいて、前記フォーカス終了位置から前記フォーカシングレンズが移動されて前記二次元受光素子によって取得されるリング指標像が変化しても、前記フォーカシングレンズがフォーカス終了位置に配置されたときに前記二次元受光素子によって取得されたリング像情報を表示モニタに固定表示することを特徴とする。
（１０）  （９）の制御手段は、さらに、前記撮像素子により撮影されたカラー眼底画像と前記リング指標像情報を表示モニタ上に同時に表示することを特徴とする。
（１１）  （１０）の眼底カメラにおいて、被検者眼の視線を誘導する固視標の呈示位置を変更可能な固視標呈示手段を備え、前記制御手段は、前記固視標呈示手段によって固視標の呈示位置の変更に応じて、再度、前記二次元受光素子に受光されたリング指標像に基づいて前記駆動機構の駆動を制御して前記フォーカシングレンズを移動させると共に、前記リング指標像に基づく前記駆動機構の駆動制御により前記フォーカシングレンズがフォーカス終了位置に配置されたときに前記二次元受光素子によって取得されたリング指標像情報を表示モニタ上に表示することを特徴とする。
（１２）  （１１）の眼底カメラにおいて、前記制御手段は、前記リング指標像に基づく前記駆動機構の駆動制御により被検者眼の等価球面度数に対応する位置に前記フォーカシングレンズが移動されたときに前記二次元受光素子によって取得されたリング指標像を表示モニタに表示することを特徴とする。
（１３）  （１１）の眼底カメラにおいて、前記制御手段は、前記リング指標像に基づく前記駆動機構の駆動制御により被検者眼の等価球面度数に対応する位置に前記フォーカシングレンズが移動されたときに前記二次元受光素子によって取得されたリング指標像に基づいてリング指標像の像位置情報を検出し、検出された像位置情報に応じた電子的なグラフィックを表示させることを特徴とする。
（１４）  （１３）の眼底カメラにおいて、前記制御手段は、前記二次元受光素子によって取得されるリング指標像に基づく電子的なグラフィックを表示する場合、取得されるリング指標像を模した電子的なグラフィックを表示させることを特徴とする。
（１５）  （１１）の眼底カメラにおいて、前記制御手段は、前記リング指標像に基づく前記駆動機構の駆動制御により被検者眼の等価球面度数に対応する位置に前記フォーカシングレンズが移動されたときに前記二次元受光素子によって取得されるリング指標像に基づいて被検者眼の乱視状態を判定し、判定結果を表示モニタ上に表示することを特徴とする。
（１６）  （１１）の眼底カメラにおいて、前記制御手段は、前記二次元受光素子から出力されるリング指標像に基づいて被検者眼眼底に対するフォーカス状態を検出する，もしくは、フォーカス終了位置を基準に被検者眼眼底に対するフォーカス状態を検出することにより被検者眼眼底に対するフォーカスのずれ量とずれ方向を表示モニタ上に電子的に表示することを特徴とする。
（１７）  （１８）の眼底カメラにおいて、前記制御手段は、前記二次元受光素子によって取得されるリング指標像に基づいて被検者眼の乱視の強主経線方向の屈折度数に対応するフォーカス位置を第１のフォーカス限界位置として設定し、前記二次元受光素子によって取得されるリング指標像に基づいて被検者眼の乱視の弱主経線方向の屈折度数に対応するフォーカス位置を第２のフォーカス限界位置として設定する設定手段を有し、前記設定手段によって設定された第１のフォーカス限界位置と第２のフォーカス限界位置に対応するリミット表示を表示モニタ上に行うことを特徴とする。
（１８）  （１７）の眼底カメラにおいて、前記制御手段は、前記設定手段によって設定された第１のフォーカス限界位置と第２のフォーカス限界位置との間で前記フォーカスレンズを移動させるように前記駆動機構によるフォーカシングレンズの移動可能範囲を制限する制限手段を備えることを特徴とする。
（１９）  （１８）の眼底カメラにおいて、別筐体の眼屈折力測定装置により測定された被検者眼の乱視度数を含む測定データを取得する眼屈折力測定データ取得手段を備え、前記制御手段は、取得された測定データを用いて前記フォーカシングレンズを駆動させることにより前記フォーカシングレンズを被検者眼の等価球面度数に対応する位置に移動させると共に、前記測定データを用いてフォーカス調整を行った旨、もしくは既にフォーカス調整が一応完了している旨を参考表示として表示モニタ上に表示することを特徴とする。
【発明の効果】
【００１０】
本発明によれば、フォーカス指標を投影するための光学系に黒点板を設ける必要がなく被検者眼眼底に対するフォーカス調整を好適に行うことができる。また、本発明によれば、撮影時において被検者眼の状態を容易に知ることができる。
【発明を実施するための形態】
【００１１】
以下、本発明に係る実施形態を図面に基づいて説明する。図１は本実施形態に係る眼底カメラの光学系及び制御系の概略構成図である。光学系は、照明光学系１０、被検者眼の眼底像を撮影する眼底観察・撮影光学系３０、フォーカス指標投影光学系４０、アライメント指標投影光学系５０、前眼部観察光学系６０、固視標呈示光学系７０から大別構成されている。
【００１２】
＜照明光学系＞  照明光学系１０は、観察照明光学系と撮影照明光学系を有する。撮影照明光学系は、フラッシュランプ等の撮影光源１４、コンデンサレンズ１５、円形遮光部を持つ第１遮光板１７ａ（例えば、リングスリット）、円形遮光部を中心に有すると共にリング状の開口を有するリングスリット１７ｂ、円形遮光部を持つ第２遮光板１７ｃ（例えば、リングスリット）、リレーレンズ１８、ミラー１９、中心部に黒点を有する黒点板２０、リレーレンズ２１、孔あきミラー２２、対物レンズ２５を有する。
【００１３】
また、観察照明光学系は、ハロゲンランプ等の光源１１、波長７５０ｎｍ以上の近赤外光を透過する赤外フィルタ１２、コンデンサレンズ１３、コンデンサレンズ１３とリングスリット１７ｂとの間に配置されたダイクロイックミラー１６、第１遮光板１７ａから対物レンズ２５までの光学系を有する。ダイクロイックミラー１６は、赤外光源１１からの光を反射し撮影光源１４からの光を透過する特性を持つ。
【００１４】
上記光学系において、被検者眼と装置本体３の作動距離方向における位置関係が所定のアライメント基準位置（基準中心）に置かれたときに、被検者眼の瞳孔（虹彩）とリングスリット１７ｂとが共役な位置となるように配置されている。また、リングスリット１７ｂが瞳孔共役とされた状態で、第１遮光板１７ａは被検者眼の角膜、第２遮光板１７ｃは被検者眼の水晶体後面、と共役になるように光学設計がされている。なお、照明光学系１０に配置された第１遮光板１７ａ、リングスリット１７ｂ、第２遮光板１７ｃは、被検者眼前眼部の所定部位とそれぞれ共役になるように配置された遮光部材１７を形成し、眼底撮影のための眼底照明光による角膜反射及び水晶体反射が眼底からの撮影光束に含まれて撮影用撮像素子３５（後述する）に受光されるのを防止する有害反射光除去手段として機能する。
【００１５】
＜眼底観察・眼底撮影光学系＞  眼底観察・撮影光学系３０は、対物レンズ２５、孔あきミラー２２の開口近傍に位置する撮影絞り３１、光軸方向に移動可能なフォーカシングレンズ３２、結像レンズ３３、眼底撮影時には挿脱機構３９により光路から挿脱可能な跳ね上げミラー３４を備え、撮影光学系と眼底観察光学系は対物レンズ２５と撮影絞り３１から結像レンズ３３までの光学系を共用する。撮影絞り３１は対物レンズ２５に関して被検者眼Ｅの瞳孔と略共役な位置に配置されている。フォーカシングレンズ３２は、モータを備える移動機構４９により光軸方向に移動される。３５は可視域に感度を有する撮影用二次元撮像素子である。跳ね上げミラー３４の反射方向の光路には、Ｐ偏光を反射してＳ偏光を透過する偏光ビームスプリッタ３７、リレーレンズ３６、赤外域に感度を有する観察用二次元撮像素子３８が配置されている。なお、レンズ３２と撮影絞り３１との間には、駆動部３２ｃの駆動によって撮影光学系３０の撮影光路に対して挿脱可能な視度補正レンズ３２ａ、３２ｂ（マイナスレンズ３２ａ，プラスレンズ３２ｂ）が設けられている。そして、レンズ３２ａ、３２ｂは、被検者眼が強度の屈折異常眼の場合に、手動又は自動的に光路中に各々挿入される。レンズ３２ａ、３２ｂが光路に挿入されると、これに対応する視度補正量が撮影光学系３０に付与される。
【００１６】
また、対物レンズ２５と孔あきミラー２２の間には、光路分岐部材としての挿脱可能なダイクロイックミラー（波長選択性ミラー）２４が斜設されている。ダイクロイックミラー２４は、アライメント指標投影光学系５０及び前眼部照明光源５８の波長光（中心波長９４０ｎｍ）を反射し、眼底観察用照明の波長光の光源波長（中心波長８８０ｎｍ）を含む波長９００ｎｍ以下を透過する特性を有する。撮影時には、ダイクロイックミラー２４は挿脱機構６６により連動して跳ね上げられ、光路外に退避する。挿脱機構６６は、ソレノイドとカム等により構成することができる。
【００１７】
観察用の光源１１を発した光束は、赤外フィルタ１２により赤外光束とされ、コンデンサレンズ１３、ダイクロイックミラー１６により反射されて第１遮光板１７ａを照明する。そして、第１遮光板１７ａを透過した光は、リングスリット１７ｂ、第２遮光板１７ｃ、リレーレンズ１８、ミラー１９、黒点板２０、リレーレンズ２１を経て孔あきミラー２２に達する。孔あきミラー２２で反射された光は、ダイクロイックミラー２４を透過し、対物レンズ２５により被検者眼Ｅの瞳孔付近で一旦収束した後、拡散して被検者眼眼底部を照明する。
【００１８】
また、眼底からの反射光は、対物レンズ２５、ダイクロイックミラー２４、孔あきミラー２２の開口部、撮影絞り３１、フォーカシングレンズ３２、結像レンズ３３、跳ね上げミラー３４、偏光ビームスプリッタ３７、リレーレンズ３６を介して撮像素子３８に結像する。なお、撮像素子３８の出力は制御部８０に入力され、モニタ８には、撮像素子３８によって撮像される被検者眼の眼底観察像が表示される。
【００１９】
また、撮影光源１４から発した光束は、コンデンサレンズ１５を介して、ダイクロイックミラー１６を透過した後、眼底観察用の照明光と同様の光路を経て、眼底は可視光により照明される。そして、眼底からの反射光は対物レンズ２５、孔あきミラー２２の開口部、撮影絞り３１、フォーカシングレンズ３２、結像レンズ３３を経て、二次元撮像素子３５に結像する。
【００２０】
＜フォーカス指標投影光学系＞  フォーカス指標投影光学系（以下、投影光学系と省略する）４０は、赤外光源４１、スリット指標板４２、この指標板４２に取り付けられた２つの偏角プリズム４３、偏光ビームスプリッタ４４、を備える。また、投影光学系４０は、ビームスプリッタ４４〜レンズ２５までの光路を照明光学系１０と共用する。偏光ビームスプリッタ４４は、照明光学系１０の光路に配置され、照明光学系１０の光路と投影光学系４０の光路とを結合させる光結合部材として用いられる。
【００２１】
投影光学系４０において、光の偏角方向が上下一対の関係となるように形成された２つの偏角プリズム４３が投影光軸Ｌ３を挟んで左右に並べて配置されており、指標板４２に形成され左右に延びるスリットと重ねられている。
【００２２】
また、投影光学系４０は、指標光束を所定の偏光方向とするための第１の偏光部材を持ち、観察光学系３０は、第１偏光部材で得られる所定の偏光方向を持つ指標光束を撮像素子３８に対して制限する偏光部材を持つ。
【００２３】
より具体的には、指標投影光学系４０及び観察光学系３０には、それぞれ偏光方向が直交関係にある直線偏光板、又は、偏光方向が直交関係にある光の一方を透過もしくは反射により被検者眼に向かわせ他方を反射もしくは透過して撮像素子３８に受光させる偏光ビームスプリッタ、が配置される。これにより、指標投影光束による対物レンズ２５での反射光が撮像素子３８に向かうのが制限される。
【００２４】
例えば、偏光ビームスプリッタ４４は、照明光学系１０の照明光源（光源１１、光源１４）と孔あきミラー２２との間に配置される（挿脱可能な構成を含む）。例えば、Ｐ偏光を透過してＳ偏光を反射する偏光ビームスプリッタが用いられる。また、投影光学系４０の投影光軸Ｌ３は、眼底上でのフォーカス指標が黒点板２０の影と重なるのを回避するべく、照明光学系１０の光軸Ｌ２に対して垂直な方向にずれた位置に配置されるようにしてもよい。
【００２５】
光源４１から出射された投影光束は、指標板４２のスリットを通過し、プリズム４３によって各方向に偏角された後、ビームスプリッタ４４にて反射される。ここで、光源４１からの光束（自然光）は、ビームスプリッタ４４によりＳ偏光が反射される。
【００２６】
そして、ビームスプリッタ４４で反射された光束（Ｓ偏光）は、リレーレンズ２１、孔あきミラー２２、ダイクロイックミラー２４、レンズ２５を経て、眼底に投影される。そして、眼底に投影されたフォーカス用の光束は、眼底で乱反射されることによりＰ偏光とＳ偏光の反射光となる。この眼底反射光束は、レンズ２５、孔あきミラー２２の開口部〜跳ね上げミラーを介して、偏光ビームスプリッタ３７に入射される。ここで、フォーカス指標による眼底反射光は、偏光ビームスプリッタ３７によりＰ偏光が反射されＳ偏光が透過される。そして、偏光ビームスプリッタ３７で反射された眼底反射光（Ｐ偏光）は、リレーレンズ３６を介して撮像素子３８に結像される。
【００２７】
この場合、投影光学系４０は、投影光源を有し被検者眼眼底にフォーカス用の指標を投影する指標投影光学系として用いられる。また、観察用二次元撮像素子３８を有する観察光学系３０は、投影光学系４０による眼底反射光を受光する受光素子を有する受光光学系として用いられる。そして、投影光学系４０と観察光学系３０とによって、フォーカス検出光学系が形成される。
【００２８】
図２は撮像素子３８から出力される画像をモニタ８上に表示したものである。図示するように、スプリット指標（フォーカス指標）Ｓ１・Ｓ２が眼底上に投影されると、被検者眼の眼底に対する装置のフォーカス状態に応じて眼底上で所定方向に分離される。フォーカス指標像Ｓ１・Ｓ２は、撮像素子３８によって眼底像と共に撮像される。
【００２９】
撮像素子３８から撮像信号がモニタ８に出力されると、検者は、スプリット指標の分離状態からフォーカスのずれを把握できる。また、制御部８０は、スプリット指標の分離状態に基づいて眼底のフォーカス状態を電気的に検出し、その検出結果に基づいてレンズ３２を自動的に移動させる（オートフォーカス制御）。
【００３０】
なお、フォーカス用の投影光束が対物レンズ２５の各レンズ面、角膜、及び水晶体を通過する際に発生する反射光は、ほぼ鏡面反射であり、Ｓ偏光のまま偏光ビームスプリッタ３７に到達し透過される。このため、フォーカス指標の投影によるフレア及びゴーストが撮像素子３８に混入するのを回避できる。
【００３１】
光源４１を含む投影光学系４０の一部（光源４１、スリット指標板４２、偏角プリズム４３）は、レンズ３２と連動して、光軸方向に移動される。例えば、レンズ３２が正視眼に対応する位置に置かれると、正視眼の眼底と投影板４２の開口とが略共役になるように投影光学系４０の一部（光源４１、スリット指標板４２、プリズム４３）が移動される。また、所定の球面度数（例えば、−３Ｄ）を持つ被検者眼に対してピントが合う位置にレンズ３２が置かれると、その被検者眼の眼底と投影板４２の開口とが略共役になるように投影光学系４０の一部が移動される。
【００３２】
移動機構４６は、モータを持ち、光源４１を含む投影光学系４０の一部をビームスプリッタ４４に対して光軸方向に移動させる。投影光学系４０の移動範囲は、レンズ３２の移動のみによる視度補正量に対応する移動範囲に加えて、レンズ３２ａ、３２ｂの挿入による視度補正量に対応する移動範囲が確保されている。すなわち、移動機構４６は、視度補正レンズが挿入された状態でのフォーカシングレンズ３２の移動による視度補正範囲を含む移動可能範囲を持つ。
【００３３】
この場合、投影光学系４０の移動範囲は、撮影光路に対するレンズ３２ａ、３２ｂの挿脱状態に応じて移動範囲が切換えられる。挿脱状態に応じて移動範囲が設定されると、投影光学系４０は、その移動範囲において、レンズ３２と連動して移動される（詳しくは、後述する）。
【００３４】
図１の説明に戻る。＜アライメント指標投影光学系＞  アライメント用指標光束を投影するアライメント指標投影光学系５０には、図１の左上の点線Ａ内の図に示すように、撮影光軸Ｌ１を中心として同心円上に４５度間隔で赤外光源が複数個配置されており、撮影光軸Ｌ１を通る垂直平面を挟んで左右対称に配置された赤外光源５１とコリメーティングレンズ５２を持つ第１指標投影光学系（０度、及び１８０）と、第１指標投影光学系とは異なる位置に配置され６つの赤外光源５３を持つ第２指標投影光学系と、を備える。この場合、第１指標投影光学系は被検者眼Ｅの角膜に無限遠の指標を左右方向から投影し、第２指標投影光学系は被検者眼Ｅの角膜に有限遠の指標を上下方向もしくは斜め方向から投影する構成となっている。なお、図１の本図には、便宜上、第１指標投影光学系（０度、及び１８０度）と、第２指標投影光学系の一部のみ（４５度、１３５度）が図示されている。
【００３５】
＜前眼部観察光学系＞  被検者眼の前眼部を撮像する前眼部観察（撮影）光学系６０は、ダイクロイックミラー２４の反射側に、フィールドレンズ６１、ミラー６２、絞り６３、リレーレンズ６４、赤外域の感度を持つ二次元撮像素子（受光素子）６５を備える。また、二次元撮像素子６５はアライメント指標検出用の撮像手段を兼ね、中心波長９４０ｎｍの赤外光を発する前眼部照明光源５８により照明された前眼部とアライメント指標が撮像される。前眼部照明光源５８により照明された前眼部は、対物レンズ２５、ダイクロイックミラー２４及びフィールドレンズ６１からリレーレンズ６４の光学系を介して二次元撮像素子６５により受光される。また、アライメント指標投影光学系５０が持つ光源から発せられたアライメント光束は被検者眼角膜に投影され、その角膜反射像は対物レンズ２５〜リレーレンズ６４を介して二次元撮像素子６５に受光（投影）される。二次元撮像素子６５の出力は制御部８０に入力され、モニタ８には二次元撮像素子６５によって撮像された前眼部像が表示される。なお、前眼部観察光学系６０は、被検者眼に対する装置本体のアライメント状態を検出する役割を兼用する。
【００３６】
＜固視標呈示光学系＞  被検者眼を固視させるための固視標を呈示する固視標呈示光学系７０は、赤色の光源７４、開口穴が形成された遮光板７１、リレーレンズ７５を備え、偏光ビームスプリッタ３７を介して跳ね上げミラー３４から対物レンズ２５までの観察光学系３０の光路を共用する。
【００３７】
この場合、光源７４により遮光板７１が背後から照明されることにより固視標（固視灯）となる。そして、固視標からの光束は、リレーレンズ７５、偏光ビームスプリッタ３７、跳ね上げミラー３４、結像レンズ３３、フォーカシングレンズ３２、孔あきミラー２２、ダイクロイックミラー２４、対物レンズ２５を通過して被検者眼眼底に集光し、被検者は開口穴７１からの光束を固視標として視認する。
【００３８】
＜制御系＞  二次元撮像素子６５、３８、３５は制御部８０に接続されている。制御部８０は二次元撮像素子６５に撮像された前眼部画像からアライメント指標を検出処理する。また、制御部８０は、二次元撮像素子３８に撮像された眼底画像からフォーカス指標を検出処理する。また、制御部８０はモニタ８に接続され、その表示画像を制御する。制御部８０には、他に、移動機構４９、移動機構４６、挿脱機構３９、各種のスイッチを持つスイッチ部８４、記憶手段としてのメモリ８５、各光源等が接続されている。なお、スイッチ部８４には、フォーカス調整を行うためのフォーカス調整スイッチ８４ａ、撮影開始スイッチ８４ｂ、レンズ３２ａ、３２ｂを挿脱させるための切換スイッチ８４ｃ、等が配置されている。
【００３９】
上記のような構成を持つ装置の動作を説明する。まず、検者は、被検者の顔を図示無き顔支持ユニットにより支持する。ここで、検者は、図示無きジョイスティックの操作により前述の光学系が内蔵された装置本体を左右上下に移動させて、被検者眼に対するアライメントを行う。この場合、前眼部観察光学系６０によって撮像される前眼部画像をモニタ８に出力することで、アライメントをスムーズに行える。
【００４０】
ラフなアライメントが完了されると、撮像素子３８による眼底像がモニタ８に表示される。検者はこの眼底画像を見ながら、所望する状態で撮影できるように、さらに図示無きジョイスティックの手動操作にてアライメント状態を微調整する。
【００４１】
眼底像の観察によりアライメントの微調整を行った後は、図２に示されるように、中心にフォーカス視標投影光学系４０によるフォーカス指標像Ｓ１、Ｓ２が投影されているので、この指標像に基づいてレンズ３２を光軸方向に移動させ、眼底のフォーカス合わせを行う。
【００４２】
なお、初期状態においては、撮影光路に視度補正レンズが挿入されていないので、制御部８０は、レンズ３２の移動のみによる視度補正範囲に対応する移動範囲内において、レンズ３２の移動に連動するように指標投影光学系４０を光軸方向に移動させる（図３（ａ）参照）。
【００４３】
なお、フォーカス合わせは、フォーカス調整スイッチ８４ａを用いた検者のマニュアルフォーカス、又は制御部８０によるオートフォーカス、によって行われる。なお、オートフォーカスの場合、制御部８０は、フォーカス指標像Ｓ１，Ｓ２が一致するように移動機構４９を駆動制御する。なお、フォーカス合わせが完了した後、自動もしくも手動にて出力されるトリガ信号にもとづいて撮影が実行される。
【００４４】
ここで、撮影開始のトリガ信号が発せられると、制御部８０は、挿脱機構３９を駆動させることにより跳ね上げミラー３４を光路から離脱させ、挿脱機構６６を駆動することによりダイクロイックミラー２４を光路から離脱させると共に、撮影光源１４を発光する。このとき、二次元撮像素子３５によって眼底像が撮影され、メモリ８５に撮影された画像データが記憶される。そして、制御部８０は、モニタ８の表示画面を二次元撮像素子３５で撮影されたカラーの眼底画像に切換える。
【００４５】
なお、上記構成において、被検者眼が強度近視眼又は強度遠視眼でフォーカスが合わせられない場合、検者は、切換スイッチ８４ｃを押して、レンズ３２ａ、３２ｂを撮影光路に挿入してフォーカスを合わせる。この場合、レンズ３２ａ、３２ｂが自動的に挿入されるようにしてもよい。例えば、レンズ３２が移動限界位置に達しても、フォーカスが一致しなかった場合、視度補正レンズが自動的に挿入される。
【００４６】
ここで、制御部８０は、挿入された視度補正レンズとレンズ３２の移動位置とによる視度補正量に対応する移動位置に、投影光学系４０の一部を移動機構４９を用いて移動させる。
【００４７】
より具体的には、視度補正レンズの挿脱状態に応じて，投影光源４１を含む指標投影光学系４０の一部の移動位置を補正する。なお、制御部８０は、レンズ３２ａ，レンズ３２ｂの近傍に設置可能なセンサ（例えば、フォトセンサ）、切換スイッチ８４ｃから出力される切換信号、駆動部からの駆動信号等から、撮影光路に対する視度補正レンズの個々の挿入状態を判別できる。
【００４８】
図３は、各レンズ３２ａ，３２ｂの退避時、レンズ３２ａ挿入時、レンズ３２ｂ挿入時、に応じて設定される指標投影光学系４０の移動範囲を示す具体例である。レンズ３２ａ、３２ｂの退避時においては、図３（ａ）に示すように、レンズ３２ａ、３２ｂが退避された状態でのレンズ３２の移動による所定の視度補正範囲（−１２Ｄ〜０Ｄ〜＋１２Ｄ）に対応する移動範囲が設定される。
【００４９】
図３（ｂ）に示すように、レンズ３２ａの挿入時においては、レンズ３２ａ（例えば、視度補正量が−１８Ｄのレンズ）が挿入された状態でのレンズ３２の移動による所定の視度補正範囲（例えば、−３０Ｄ〜−１８Ｄ〜−６Ｄ）に対応する移動範囲が設定される。
【００５０】
より具体的には、レンズ３２ａが挿入されたとき、制御部８０は、レンズ３２ａが持つ視度補正量（例えば、−１８Ｄ）に対応する投影光学系４０の移動方向（−方向）及び移動距離を設定する。例えば、制御部８０は、レンズ挿入前の投影光学系４０の移動位置（例えば、−１２Ｄ）に対して視度補正レンズ３２ａの視度補正量（−１８Ｄ）を加えた移動位置（−３０Ｄ）に、投影光学系４０を移動させる。
【００５１】
この場合、制御部８０は、移動機構４９の駆動を制御し、レンズ３２ａ挿入前の視度補正量に対応する移動位置にレンズ３２を移動させるようにしてもよい。これにより、レンズ挿入状態に移行後、レンズ３２ａ挿入前の視度補正量からのフォーカス調整が可能となる。
【００５２】
図３（ｃ）に示すように、レンズ３２ｂの挿入時においては、レンズ３２ｂ（例えば、視度補正量が＋１８Ｄのレンズ）が挿入された状態でのレンズ３２の移動による所定の視度補正範囲（例えば、＋６Ｄ〜＋１８Ｄ〜＋３０Ｄ）に対応する移動範囲が設定される。なお、具体的な動作については、レンズ３２ａと同様の手法を用いることができるため、詳しい説明を省略する。
【００５３】
上記のように投影光学系４０の移動が完了されると、強度屈折異常眼に対するフォーカス合わせができるようになる。そこで、制御部８０は、フォーカス指標像Ｓ１，Ｓ２の分離情報を基に、両者が一致するように移動機構４９を駆動制御して眼底のフォーカス合わせを行う。また、指標像Ｓ１，Ｓ２が一致されるように、検者によるマニュアルフォーカスも可能である。
【００５４】
この場合、制御部８０は、挿入された視度補正レンズとレンズ３２の移動とによる視度補正範囲に対応する移動範囲内において、レンズ３２の移動と連動するように指標投影光学系４０を光軸方向に移動させる。例えば、レンズ３２ａが挿入された場合、制御部８０は、レンズ３２ａに対応する移動範囲内において、投影光学系４０を移動させる。そして、レンズ３２が移動されたら、制御部８０は、レンズ３２の移動による視度補正分、投影光学系４０を移動させる。
【００５５】
上記のような構成とすれば、被検者眼が強度の屈折異常眼であって、視度補正用レンズが撮影光学系３０の撮影光路に挿入された状態であっても、眼底上のフォーカス指標がフォーカス検出可能な状態で撮像素子３８上に受光される。このため、適正なオートフォーカス制御が可能となる。また、検者は、視度補正レンズが挿入されていない状態と同様の動作にて、マニュアルフォーカスを行うことができる。
【００５６】
なお、上記構成において、視度補正レンズの挿入に対応する補正レンズを投影光学系４０の光路中に挿脱可能な構成としてもよい。例えば、レンズ３２ａが挿入された場合、ビームスプリッタ４４とプリズム４３との間に、レンズ３２ａが持つ視度補正量に対応するマイナスレンズが挿入される。このようにすれば、投影光学系４０の移動量が少なくて済む。この場合、レンズ３２ａが挿入された状態での投影光学系４０の移動可能範囲と、レンズ３２ａが外された状態での投影光学系４０の移動可能範囲と、を略同一とすることも可能である。
【００５７】
次に、第２の実施形態に係る構成について説明する。なお、図４において、図１と同様の番号を付したものついては、特段の説明がない限り、同様の構成・機能を有するものとする。図４においては、被検者眼眼底とのフォーカス状態を検出する構成として、被検者眼の瞳孔中心部を介して被検者眼眼底にスポット状の光束を投影する指標投影光学系１４０と、被検者眼眼底からの反射光を被検者眼前眼部から所定のパターン像（例えば、リングパターン像、または、複数のスポット像）として取り出して二次元受光素子に受光させる受光光学系１６０と、が設けられている。
【００５８】
図４（ａ）において、投影光学系１４０は、投影光軸Ｌ３上に配置されたＬＥＤやＳＬＤ等の赤外点光源１４１、投影レンズ１４２、フォーカス光束と眼底観察光束を分岐する光路分割部材としてのビームスプリッタ１４４を含み、さらに、ビームスプリッタ１４４〜レンズ３２〜対物レンズ２５までの光路を眼底観察光学系３０と共用する。なお、ダイクロイックミラー１３７は、可視光を反射し赤外光を透過する特性を有する。
【００５９】
一方、受光光学系１６０は、対物レンズ２５〜ビームスプリッタ１６９までの光路を照明光学系１０と共用し、さらに、ビームスプリッタ１６９の反射方向に、略眼底共役位置に配置されるピンホール開口１６１、コリメータレンズ１６３、リングレンズ１６５、及び略眼底共役位置に配置される二次元受光素子１６７を含む。なお、受光素子１６７を含む受光光学系１６０の一部（例えば、ピンホール開口１６１〜二次元受光素子１６７）は、移動機構４６の駆動によって、レンズ３２の移動に連動して光軸方向に移動可能な構成となっている。例えば、レンズ３２が正視眼に対応する位置に置かれると、正視眼の眼底と開口１６１とが略共役になるように受光光学系１６０の一部が移動される。また、所定の球面度数（例えば、−３Ｄ）を持つ被検者眼に対してピントが合う位置にレンズ３２が置かれると、その被検者眼の眼底と開口１６１とが略共役になるように投影光学系４０の一部が移動される。レンズ３２の移動に連動して移動される受光光学系１６０の一部は、図１に示した第１実施形態における投影光学系４０の一部と同様に、レンズ３２ａ、３２ｂの挿入に応じて移動位置が補正される。受光光学系１６０の移動と共に、光源１４０を含む投影光学系１４０の一部が移動されるような構成であってもよい。
【００６０】
ここで、リングレンズ１６５は、レンズ部と、リング開口を持つリング指標板と、から構成され、瞳孔と略共役な位置に配置される。また、二次元受光素子１６７は、レンズ部の焦点位置に配置され、眼底と撮像素子３８（撮像素子３５）とのフォーカスがあっているときに眼底と共役となる。ここで、リング指標板は、レンズ３２と二次元受光素子１６７との間の被検者眼前眼部と略共役な位置（例えば、被検者眼瞳孔と略共役な位置、又は被検者眼角膜と略共役な位置）に配置される。
【００６１】
また、光源１４１から出射された光は、レンズ１４２〜跳ね上げミラー３４〜対物レンズ２５を経て、被検者眼眼底上に投影され、眼底上にスポット状の点光源像が投影される。また、眼底に投影された点光源像は反射・散乱されて被検者眼を射出し、対物レンズ２５〜ホールミラーの反射面を経て、ビームスプリッタ１６９、ピンホール開口１６１、コリメータレンズ１６３を介して、リングレンズ１６５によって収束された後、二次元受光素子１６７上にリング像として結像される。
【００６２】
ここで、二次元受光素子１６７からの受光信号は、制御部８０に入力される。ここで、被検者眼眼底のフォーカスがあっているときには、二次元受光素子１６７上にはリングレンズ１６５と同じサイズのぼけの少ない細いリング像が結像される。一方、被検者眼眼底のフォーカスが合っていないとき、二次元受光素子１６７上には、ぼけた太いリング像であって、フォーカスがあっている状態のリング像の大きさと異なるリング像が受光される。この場合、被検者眼の球面屈折誤差がある場合、リング像は、被検者眼の球面屈折誤差の大きさに比例した大きさとなる。また、乱視屈折誤差がある場合は、二次元受光素子１６７にできるリング像は、乱視屈折誤差に応じて楕円形状となる。
【００６３】
したがって、制御部８０は、二次元受光素子１６７上にできるリング像を解析することにより、被検者眼のフォーカス状態を検出できる。そして、制御部８０は、検出されるフォーカス状態に基づいて移動機構４６及び移動機構４９を駆動制御して眼底のフォーカス合わせを行う。この場合、制御部８０は、移動機構４９を用いてレンズ３２を光軸方向に移動させると共に、移動機構４６を用いて受光光学系１６０の一部を移動させる。例えば、二次元受光素子１６７上のリング像が最も細くなる或いは最も明るくなるようにして、二次元受光素子１６７を被検者眼の眼底と共役な位置にあわせる。これにより、眼底撮影用の撮像素子３５（又は眼底観察用の撮像素子３８）と被検者眼眼底とのフォーカス調整がなされる。
【００６４】
また、上記第２実施形態において、ビームスプリッタ１４４、ビームスプリッタ１６９に代えて第１実施形態にて示したような、偏光方向が互いに直交する光のうち、一方の光を反射して他方の光を透過する特性を有する偏光ビームスプリッタを用いるようにしてもよい。
【００６５】
また、上記構成において、乱視検出やリング像の取得をしない場合、図４（ｂ）に示すように、パターン指標板として受光光軸から等距離離れた位置に２つの開孔が形成された２穴絞り１７０と、集光部材として２穴絞り１７０を通過した光を二次元受光素子１６７上で集光させる結像レンズ１７１と、を用いるようにしてもよい。なお、図４（ｂ）の場合、フォーカスが合っているときに、２つのスポット像が重なって二次元受光素子１６７上における受光光軸上で１つのスポット像となり、フォーカスがずれているときに、二次元受光素子１６７上で２つのスポット像となる。
【００６６】
なお、フォーカス検出光学系として、リング指標像を二次元受光素子に受光させる構成（図４（ａ）参照）を設けることにより、画像のぼけが何に起因するものかを判断可能となる。被検者眼が乱視眼の場合における二次元受光素子１６７上のリング像は、長径と短径を持つ楕円形状となる。そして、リング像の長径及び短径は、被検者眼の乱視度数に応じて変化する。
【００６７】
ここで、制御部８０は、二次元受光素子１６７によって取得されるリング画像に基づいてフォーカス状態を検出する。そして、制御部８０は、検出されたフォーカス状態に基づいて被検者眼の等価球面度数に対応する位置にレンズ３２が配置されるように移動機構４９を駆動制御する。また、制御部８０は、レンズ３２の移動に連動して受光光学系１６０の一部を移動させる（以下、同様）。なお、本実施形態においては、被検者眼の等価球面度数に対応する位置がフォーカス終了位置として設定される。
【００６８】
この場合、制御部８０は、リング像の各経線方向の像位置を検出し、検出された像位置情報に基づいて球面度数（Ｓ）、乱視度数（Ｃ）、乱視軸角度（Ａ）を算出する。そして、制御部８０は、球面度数及び乱視度数に基づいて等価球面度数（ＳＥ＝Ｓ＋１／２Ｃ、以下ＳＥ値と省略する）を算出し、算出されたＳＥ値に対応する移動機構４９の駆動信号（例えば、基準位置からの移動量）をメモリ８５から取得する。そして、取得された駆動信号に基づいて移動機構４９を駆動制御して、レンズ３２を被検者眼のＳＥ値に対応する位置に移動させる。
【００６９】
例えば、被検者眼がＳ＝−３．０Ｄ、Ｃ＝−２．０の場合、ＳＥ＝−４．０Ｄとなるから、制御部８０は、０Ｄに対応する位置（基準位置）に配置されたレンズ３２を−４．０Ｄに対応する位置に移動させる。なお、ＳＥ値に対応する移動機構４９の駆動信号（例えば、パルスモータに供給するパルス数）は、予め演算等により算出され、メモリ８５に記憶される。
【００７０】
上記構成において、制御部８０は、被検者眼が所定値を上回る強度の屈折異常眼の場合、駆動機構３２ｃを駆動させて、これに対応する視度補正レンズを撮影光学系３０の撮影光路中に挿入する。
【００７１】
なお、屈折異常眼に対して眼底撮影を行う場合、レンズ３２が初期位置にあるときのリング像はぼけが大きく、精密な像位置検出が困難であることから、ＳＥ値の算出結果に測定誤差が生じる可能性がある。そこで、制御部８０は、ＳＥ値に対応する位置にレンズ３２を移動させる場合、リング画像から被検者眼のＳＥ値を算出しなくとも、リング像の像位置データに基づいて移動機構４９を駆動制御するようにしてもよい。
【００７２】
ここで、制御部８０は、リング像の長径方向と短径方向の中間位置に相当する経線方向を特定し、特定された経線方向でのリング直径が基準画像（例えば、正視眼のときのリング画像）のリング直径と一致するように移動機構４９を駆動制御する。なお、例えば、リング像の長径方向が０度、リング像の短径方向が９０度であれば、４５度が中間位置に相当する。上記のようにして、レンズ３２がＳＥ値に対応する位置に配置されると、制御部８０は、移動機構４９の駆動を停止させる。
【００７３】
ここで、制御部８０は、レンズ３２がフォーカス終了位置に配置されたときに二次元受光素子１６７によって取得されたリング指標像を被検者眼観察画像に合成して表示モニタ８上に表示する。より具体的には、制御部８０は、レンズ３２が被検者眼の等価球面度数に対応する位置に移動されたときに二次元受光素子１６７によって取得されたリング像をメモリ８５に記憶させると共に、メモリ８５に記憶されたリング像Ｒをモニタ８上における所定の表示領域に眼底観察画像と合成して表示する（図２（ｂ）参照）。これにより、レンズ３２がフォーカス終了位置に配置された状態で取得されたリング像が眼底観察像と共にモニタ８に表示される。
【００７４】
なお、ＳＥ値に対応する位置にレンズ３２が配置されると、各経線方向における屈折異常がバランス良く矯正された状態となる。よって、被検者眼が乱視眼であっても鮮明な眼底画像を取得できる。ただし、被検者眼の乱視度数が大きい場合、ＳＥ値に対応する位置にレンズ３２が配置されても、各主経線方向の眼底フォーカス位置とＳＥ値とのフォーカス位置とのずれ量が大きいので、鮮明な眼底画像が取得できず、ぼけてしまう可能性がある。
【００７５】
そこで、前述のようにフォーカス調整が終了した状態で取得したリング像をモニタ８上に出力することにより、検者は、フォーカス調整の信頼性を確認できるため、被験者に対して適切な処置を施すことができる。
【００７６】
例えば、モニタ８に表示されるリング像の長径と短径の差が大きい場合、又はリング像の長径／短径方向におけるぼけが目立つような場合、検者は、被検者眼の乱視量が大きいことを確認できる。そこで、検者は、モニタ８に表示される眼底観察画像を見ながら必要な部分（例えば、被検者眼の黄斑部）で鮮明な眼底画像が表示されるようにフォーカス調整スイッチ８４ａを操作するようなことが考えられる。また、上記のようなリング像の場合、被検者眼の負担を軽減するべく、絶対値の等しい２枚の円柱レンズを用いて被検者眼の乱視補正を行う乱視補正機能付の眼底カメラでの撮影を薦めるようなことも考えられる。
【００７７】
なお、取得されたリング像の像位置情報を検出し、検出された像位置情報に応じた電子的なグラフィックを表示させるようにしてもよい。この場合、例えば、二次元受光素子１６７によって取得されるリング指標像を模した電子的なグラフィック表示が表示される。また、他の手法としては、二次元受光素子１６７によって取得されたリング像の像位置情報を検出することにより被検者眼の乱視度数の大きさを計測し、被検者眼の乱視度数の大きさに応じてインジケータを増減させるようなことが考えられる。
【００７８】
より具体的には、制御部８０は、二次元受光素子１６７上に受光されたリング像の各経線方向の像位置情報を取得し、取得された像位置情報に基づいてリング像を模したグラフィック表示のリング形状・色・明るさ・太さ・等を変化させるようにモニタ８を表示制御する。
【００７９】
例えば、取得されたリング画像を所定の光量レベルにて二値化処理をし、所定の光量レベルを超えた画素領域に対応する部分を白色とし、所定の光量レベルを下回る画素領域に対応する部分を黒色で示すような手法が考えられる。また、制御部８０は、リング画像の像位置情報に対して楕円近似処理を施し、楕円近似された後の像位置情報に基づいてリング像を模したグラフィック表示の形状を変化させるようなことが考えられる。
【００８０】
なお、フォーカス終了状態にて取得されたリング像情報をモニタ８に表示する場合、フォーカス終了位置（例えば、被検者眼のＳＥ値に対応する位置）からレンズ３２が移動されて二次元受光素子１６７によって取得されるリング指標像が変化しても、フォーカス終了位置にレンズ３２が配置されたときに二次元受光素子１６７によって取得されたリング指標像もしくはリング指標像に基づく電子的なグラフィック表示を表示モニタ８に固定表示するのが好ましい。
【００８１】
より具体的には、制御部８０は、前述のようなオートフォーカス制御によりレンズ３２の位置が自動的に調整された状態でリング像を取得し、モニタ８上に表示した後は、検者のマニュアル操作によってレンズ３２が移動され、二次元受光素子１６７に受光されるリング像が変化しても、これに応じてリング像の形状を変化させない。このような固定表示制御を行うことにより、被検者眼の乱視がバランス良く矯正された適正なフォーカス位置（被検者眼のＳＥ値に対応する位置）に配置された状態で取得されたリング像（リング像グラフィック）を表示した状態が維持される。これにより、所定のフォーカス終了位置からレンズ３２が移動された場合であっても、適正なフォーカス位置に配置された状態でのフォーカス調整の信頼性を検者が把握できる。なお、レンズ３２がフォーカス終了位置から移動された状態で取得されたリング像をモニタ８に表示すると、リング像が大きくぼけてしまい、適正なフォーカス位置に置かれた状態（ＳＥ値に対応する位置）での被検者眼の屈折異常の状態の確認が困難となる。
【００８２】
ここで、モニタ８に表示されたリング像を用いてフォーカス終了状態における被検者眼の状態を確認をした後、検者は、撮影スイッチ８４ｂを押して被検者眼の眼底撮影を行う。撮影終了後、モニタ８の表示は撮像素子３５で撮影されたカラーの眼底画像に切換えられる。撮像素子３５で撮影された眼底像は、メモリ８５に記憶される。
【００８３】
また、以上のようにして被検者眼の眼底像が撮像された後、制御部８０は、取得されたカラー眼底画像に対応付けてフォーカス終了時に取得されたリング像をモニタ８上に同時に表示出力する。これにより、検者は、レンズ３２がフォーカス終了位置に配置された状態でのフォーカス調整の信頼性をリング像から確認できるため、モニタ８に表示される眼底像からでは分かりにくい眼底像の鮮明度及びぼけ具合を予測できる。すなわち、リング像の楕円度合が大きければ、屈折異常によって眼底像がぼけてしまっている可能性が高いことが予想できるので、検者は、適切な処理を行うことができる。
【００８４】
なお、上記構成において、撮影されたカラー眼底画像を所定の電子ファイリングソフトがインストールされたパソコンに転送（出力）し、パソコンに設けられた大きなディスプレイ上でカラー眼底像を表示するような場合、前述のように二次元受光素子１６７によって取得されたリング像データもしくはリング像を模したグラフィックデータを眼底画像データに対応づけた形式で共に転送し、カラー眼底像と共にディスプレイ上に同時に表示するようにしてもよい。このようにすれば、電子ファイリングソフト上で眼底画像を観察し、眼底像の鮮明度が低い場合、リング像からその原因を特定できる。
【００８５】
なお、上記のようにしてレンズ３２が被検者眼のＳＥ値に対応する位置に配置された状態において、制御部８０は、被検者眼の等価球面度数に対応する位置に配置されたレンズ３２の移動位置を基準に被検者眼眼底に対するフォーカス状態を検出し、被検者眼眼底に対するフォーカスのずれ量とずれ方向をモニタ８上に電子的に表示するようにしてもよい（図５参照）。なお、被検者眼のＳＥ値に対応する位置に配置されたレンズ３２の移動位置を基準に被検者眼眼底に対するフォーカス状態を検出する場合、被検者眼のＳＥ値に対応する移動位置からのレンズ３２の移動量を検出することによりモニタ８上にフォーカスのずれ量とずれ方向を電子的に表示する。この場合、レンズ３２の移動量もしくは移動位置を検出する検出機構として、移動機構４９の駆動モータにパルスモータを用いると共に、フォトセンサ等によって設定される原点位置を基準にパルスモータに供給したパルス数を計測することにより被検者眼の等価球面度数に対応する移動位置からのレンズ３２の移動量を求めるような構成が考えられる。
【００８６】
なお、図５（ａ）においては、等価球面度数に対応する位置からのレンズ３２の移動量に応じて、等価球面度数ＳＥを基準に、プラスマイナスいずれかの方向にインジケータが増減されるようになっている。また、図５（ｂ）において、レンズ３２の位置が被検者眼の屈折力に置き換えており、眼屈折力値が記載されたゲージ表示中に被検者眼の等価球面度数を示すことにより、被検者眼の等価球面度数に対応する移動位置からのレンズ３２の移動量を表示している。
【００８７】
ここで、検者は、モニタ８に電子的に表示されるフォーカス指標（図５参照）によりフォーカスのずれ量とずれ方向を確認しながら、検者の所望する観察部位にピントを合わせることができる。ここで、インジケータ表示が等価球面度数ＳＥを示している状態から検者によってフォーカススイッチ８４ａが操作されると、フォーカススイッチ８４ａの操作に応じてインジケータが増減して表示される。
【００８８】
なお、図５に示したように被検者眼眼底に対するフォーカスのずれ量とずれ方向を電子的に表示する場合、二次元受光素子１６７から出力されるリング指標像に基づいて被検者眼眼底に対するフォーカス状態を検出し、その検出結果に基づいて被検者眼眼底に対するフォーカスのずれ量とずれ方向を表示するようにしてもよい。この場合、基準画像に対するリング画像の変化を検出する（例えば、基準画像に対するリング径の大小からフォーカスのずれ量とずれ方向を検出する）ことによりフォーカスのずれ量及びずれ方向を検出できる。
【００８９】
なお、制御部８０は、二次元受光素子１６７によって取得されるリング指標像に基づいて被検者眼の乱視の強主経線方向の屈折度数に対応するフォーカス位置を第１のフォーカス限界位置として設定し、二次元受光素子１６７によって取得されるリング指標像に基づいて被検者眼の乱視の弱主経線方向の屈折度数に対応するフォーカス位置を第２のフォーカス限界位置として設定する設定し、設定された第１のフォーカス限界位置と第２のフォーカス限界位置に対応するリミット表示を表示モニタ上に行うようにしてもよい。
【００９０】
より具体的には、制御部８０は、図５に示した電子フォーカス表示において、メモリ８５に記憶されたリング画像の長径及び短径の長さを計測し、その計測結果に基づいてリング像の長径方向（被検者眼乱視の弱主経線方向）に対応する屈折度数とリング像の短径方向（被検者眼乱視の強主経線方向）に対応する屈折度数を検出する。
ここで、フォーカス終了位置にて取得されたリング像の長径方向（弱主経線方向）及び短径方向（強主経線方向）のリング直径と、基準画像におけるリング直径と、を比較し、その基準画像に対するリング直径の偏位量の大きさから屈折度数を求める。ここで、基準画像のリング直径に対する偏位量が大きいほど、乱視度数が大きく、基準画像のリング直径に対する偏位量が小さいほど、乱視度数が小さい。なお、被検者眼の乱視度数の大きさは、被検者眼のＳＥ値（フォーカス終了位置に対応する屈折度数）に対する屈折度数の偏位量ともいえる。
【００９１】
次に、制御部８０は、前述のように検出された被検者眼乱視の強主経線方向の屈折度数に対応するフォーカス位置を第１のフォーカス限界位置として設定し、被検者眼乱視の弱主経線方向の屈折度数に対応するフォーカス位置を第２のフォーカス限界位置として設定する。そして、制御部８０は、第１のフォーカス限界位置に対応するグラフィック表示Ａ１と第２のフォーカス限界位置に対応するグラフィック表示Ａ２をモニタ８上に電子的に表示する。
【００９２】
この場合、制御部８０は、フォーカス調整用のインジケータに対する表示Ａ１及びＡ２の表示位置を、求められた屈折度数に対応して設定されるフォーカス限界位置によって変化させる。すなわち、被検者眼の乱視度数が大きいほど、表示Ａ１と表示Ａ２の幅が大きくし、被検者眼の乱視度数が小さいほど、グラフィック表示Ａ１及びＡ２の範囲が小さくなる。この場合、制御部８０は、前述のように検出される被検者眼の屈折度数とグラフィック表示Ａ１及びＡ２の表示位置との関係を予め設定しておくようにすればよい。
【００９３】
ここで、検者は、グラフィック表示Ａ１及びＡ２の間でインジケータ表示が収まる範囲でフォーカスノブを操作すればよいので、所定の経線方向にて被検者眼とのピントが合う範囲でレンズ３２を容易に移動させることができる。したがって、検者は、被検者眼の等価球面度数に対応するフォーカス位置を含む被検者眼の乱視の強主経線方向に対応するフォーカス位置から被検者眼の弱主経線方向に対応するフォーカス位置までの間でレンズ３２を選択的に移動させることができ、不要なフォーカス操作を回避できる。
【００９４】
この場合、制御部８０は、前述のように設定された第１のフォーカス限界位置と第２のフォーカス限界位置との間でレンズ３２を移動させるように移動機構４９によるレンズ３２の移動可能範囲を制限するようにしてもよい。より具体的には、制御部８０は、フォーカス調整スイッチからの操作信号に基づいて移動されるレンズ３２の移動位置が被検者眼の乱視の強主経線方向に対応するフォーカス限界位置を越える場合、及び弱主経線方向に対応するフォーカス限界位置を越える場合、制御部８０は、移動機構４９の駆動を停止させる。すなわち、制御部８０は、被検者眼が乱視眼の場合、被検者眼の乱視の強主経線方向に対応するフォーカス位置から被検者眼の弱主経線方向に対応するフォーカス位置の間でレンズ３２の移動可能範囲を設定し、レンズ３２の移動範囲を制限する。このようにすれば、所定経線方向で被検者眼眼底とのピントが合う範囲を超えてレンズ３２が移動されるのを回避でき、スムーズにフォーカス調整を行うことができる。
【００９５】
なお、以上の説明においては、被検者眼に対するフォーカス調整が終了した状態で取得されたリング像もしくはリング像に基づく電子的なグラフィックをモニタ８に表示したが、リング像に基づくリング像情報であれば、これに限るものではない。
【００９６】
例えば、制御部８０は、フォーカス終了位置にレンズ３２が移動されたときに二次元受光素子１６７によって取得されるリング指標像に基づいて被検者眼の乱視状態の有無を判定することにより、その判定結果を表示モニタ８上に表示するようにしてもよい。これにより、フォーカス調整の信頼性を判定できる。
【００９７】
より具体的には、制御部８０は、フォーカス終了位置にて検出される被検者眼の乱視度数が所定の許容範囲を超えるか否かを判定し、その判定結果をモニタ８に表示する。この場合、制御部８０は、前述のように検出される被検者眼の乱視度数の絶対値が１Ｄ以上の場合、フォーカス調整終了段階において、フォーカス調整の信頼性が低いことを報知するためのメッセージ（例えば、フォーカスの信頼性低い、被検者眼に乱視あり、眼底画像の鮮明度が低い可能性あり、等）又はグラフィックをモニタ８上に表示する。一方、被検者眼の乱視度数の絶対値が１Ｄより小さい場合、特にメッセージを表示しない，もしくはフォーカス調整の信頼性が高いことを報知するためのメッセージ（例えば、フォーカスの信頼性高い、被検者眼に乱視なし、眼底画像は鮮明である可能性高い、等）又はグラフィックをモニタ上に表示する。また、被検者眼の乱視度数が所定の許容範囲を超えるような場合、モニタ８に表示されるリング像またはリング像グラフィックの背景の色を変化させるようなことも考えられる（例えば、黒から黄色など）。
【００９８】
なお、以上の説明においては、被検者眼の瞳孔中心部を介して被検者眼眼底にスポット状のフォーカス用光束を投光し、眼底反射光束を被検者眼前眼部からリング指標像として取り出して二次元受光素子に受光させるものとしたが、これに限るものでなく、被検者眼の瞳孔周辺部を介して被検者眼眼底にリング状のフォーカス用光束を投光し、被検者眼の眼底に投影されたリング像を二次元受光素子に受光するものであってもよい。
【００９９】
なお、以上の説明において、被検者眼の視線を誘導する固視標の呈示位置を変更可能な構成（例えば、特開２００７−２０２７２４号公報）を有する固視標呈示光学系７０である場合、制御部８０は、固視標呈示光学系７０によって固視標の呈示位置が変更されたとき、再度、二次元受光素子１６７に受光されたリング指標像に基づいて移動機構４９の駆動を制御してレンズ３２を移動させると共に、レンズ３２がフォーカス終了位置に配置されたときに二次元受光素子１６７によって取得されたリング指標像情報をこれまで表示されていたリング指標像情報に代えてモニタ８に表示するのが好ましい。ここで、固視標の呈示位置の変更に応じてモニタ８に表示されるリング指標像情報を更新することにより、被検者眼の状態を適正に把握できる。例えば、眼底中心部を撮影する標準位置と眼底周辺部を撮影する周辺位置とで固視標の呈示位置を切り換える場合、被検者眼の屈折異常の状態が実質的に異なるもの（周辺撮影の場合、被検者眼の光軸と撮影光軸Ｌ１とのずれ角が大きくなり、屈折異常が生じやすい）となるため、新たな固視標の呈示位置に対応したリング像情報に更新することにより、検者は、固視標の呈示位置に応じて変化するフォーカス調整の信頼性の変化を適切に検者に報知できる。
【０１００】
また、以上の説明において、二次元受光素子１６７に受光されたリング指標像に基づいて移動機構４９を駆動制御させる場合、別筐体の眼屈折力測定装置（オートレフ）により測定された被検者眼の乱視度数を含む測定データ（例えば、被検者眼の球面度数と乱視度数）を取得し（例えば、ＬＡＮケーブルを介してオートレフの測定データを得る）、取得された測定データを用いてレンズ３２を駆動させることにより被検者眼の等価球面度数に対応する移動位置にレンズ３２を予め移動させておくことによりレンズ３２の初期位置を設定するようにしてもよい。この場合、被検者眼の等価球面度数ＳＥは、オートレフで得られた被検者眼の球面度数Ｓと乱視度数Ｃを用いて、ＳＥ＝Ｓ＋１／２Ｃにより算出できる。
【０１０１】
この場合、制御部８０は、初期設定として、オートレフからの測定データを用いたレンズ３２の移動によってフォーカス調整を行った旨（例えば、オートレフでの測定データに基づくフォーカス調整実行済み）、もしくは既にフォーカス調整が一応完了している旨を参考表示としてモニタ８上に表示する（例えば、フォーカスＯＫ等の表示）。なお、上記のような構成の場合、例えば、スイッチ部８４に配置された所定のスイッチによって所定の設定がなされ、二次元受光素子１６７にリング像が受光されると、リング像に基づく移動機構４９の駆動制御が開始される。また、制御部８０は、オートレフから取得された測定データを用いたレンズ３２の駆動によりレンズ３２が初期位置に配置されたときに二次元受光素子１６７によって取得されたリング指標像情報を参考データとして表示するようにしてもよい。
【０１０２】
なお、以上の説明においては、被検者眼の等価球面度数に対応する位置をフォーカス終了位置としたが、検者の好みに合わせて、被検者眼の強主経線方向における屈折度数に対応する位置、又は被検者眼の弱主経線方向における屈折度数に対応する位置をフォーカス終了位置に設定できるようにしてもよい。
【図面の簡単な説明】
【０１０３】
【図１】本実施形態に係る眼底カメラの光学系及び制御系の概略構成図である。
【図２】被検者眼眼底上に投影されたフォーカス指標を示す図である。
【図３】視度補正レンズの挿脱状態に応じて設定される指標投影光学系の移動範囲を示す具体例である。
【図４】第２の実施形態に係る眼底カメラの光学系及び制御系の概略構成図である。
【図５】表示モニタ上にフォーカスのずれ量とずれ方向を電子的に表示する場合の図である。
【符号の説明】
【０１０４】
１０  照明光学系
１１  観察光源
１４  撮影光源
２５  対物レンズ
３０  眼底観察・眼底撮影光学系
３２  フォーカシングレンズ
３２ａ、３２ｂ  視度補正レンズ
４０  フォーカス指標投影光学系
４４  偏光ビームスプリッタ
４９  移動機構
８０  制御部
１４０  投影光学系
１４１  投影光源
１６０  受光光学系
１６７  二次元受光素子
【図１】
2010193987.tif 000003
【図２】
2010193987.tif 000004
【図３】
2010193987.tif 000005
【図４】
2010193987.tif 000006
【図５】
2010193987.tif 000007